(57)【要約】【目的】ユーザが欠かさずに視聴しているような番組をユーザによる予約操作なしに自動録画することができるディジタル放送受信装置を提供する。【構成】ＣＰＵ１７はユーザが視聴した番組の視聴回数をカウントする。ＣＰＵ１７は対象番組指定基準に従い、視聴回数が基準値に達している場合には当該番組を自動録画番組に指定し、番組情報から放送予定を検出して仮録画予約を行う。仮録画予約実行時刻において、ユーザが番組を視聴又は録画しない場合に録画処理を実行する。【選択図】　　　　　　　　図１
2004112622.tif 000002
【特許請求の範囲】
【請求項１】
ディジタル放送波から番組情報を取得して記憶する手段と、任意の番組についての視聴が所定の回数及び／又は時間に達した場合に前記番組を対象番組に指定する手段と、前記番組情報から前記対象番組の放送予定を検出して仮録画予約を行う手段と、前記仮録画予約の実行時刻においてユーザが前記番組を視聴又は録画していないときに録画を実行する手段と、を備えたことを特徴とするディジタル放送受信装置。
【請求項２】
請求項１に記載のディジタル放送受信装置において、前記仮録画予約を行わない番組の種類をユーザが設定できるように構成したことを特徴とするディジタル放送受信装置。
【請求項３】
請求項１又は請求項２に記載のディジタル放送受信装置において、所定の回数又は／及び時間をユーザが設定できるように構成したことを特徴とするディジタル放送受信装置。
【請求項４】
請求項１乃至請求項３のいずれかに記載のディジタル放送受信装置において、番組情報から対象番組の放送予定が所定期間を超えて検出されないときには、仮録画予約指定が解除されるように構成したことを特徴とするディジタル放送受信装置。
【請求項５】
請求項１乃至請求項４のいずれかに記載のディジタル放送受信装置において、録画実行後にユーザが当該番組の視聴を開始したときには録画実行中であることのメッセージを画面表示すると共に、録画の継続／停止をユーザに選択させるように構成したことを特徴とするディジタル放送受信装置。
【請求項６】
請求項１乃至請求項５のいずれかに記載のディジタル放送受信装置において、仮録画予約実行時とユーザ予約による録画実行時とが重なるときにはユーザ予約による録画実行を優先するように構成されたことを特徴とするディジタル放送受信装置。
【請求項７】
請求項１乃至請求項６のいずれかに記載のディジタル放送受信装置において、二以上の仮録画予約の実行時が重なるときには視聴回数が多い及び／又は視聴時間が長い方の録画を優先するように構成されたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、従来のアナログ放送と同様に映像や音声を送信することに加え、番組情報も送信している。この番組情報は、番組名、番組開始時間、番組継続時間、番組内容情報、番組ジャンル情報などの各種情報を含んでおり、受信装置側ではＯＳＤ（オンスクリーンディスプレイ）機能を用いたＥＰＧ（Ｅｌｅｃｔｒｏｎｉｃ　Ｐｒｏｇｒａｍ　Ｇｕｉｄｅ）表示機能によって多チャンネル放送のなかからユーザが望む番組を選択することができる。更に、ＥＰＧ表示機能を用い、放送予定されている番組をＥＰＧ上で選択して視聴予約や録画予約を行うことができる。また、番組ジャンル情報や番組内容情報を用い、ユーザが入力したジャンルやキーワードに対応する情報を有する番組を抽出して一覧表示をし、ユーザが望む番組を選択して視聴や録画予約等が行えるようになっている。
【０００４】
なお、従来の録画予約が行えるディジタル放送受信装置としては、シリーズ番組の次回放送日時の利用者への通知や番組予約が行えるようにしたものがある（特許文献１参照）。
【０００５】
【特許文献１】
特開２００２−１７１４５５号公報
【０００６】
【発明が解決しようとする課題】
しかしながら、上記従来のディジタル放送では、ＥＰＧ表示機能にしろジャンル検索機能にしろ、視聴予約や録画予約を行うにはユーザによる予約操作が必要である。従って、ユーザが欠かさずに視聴しているような番組であっても、外出等のために当該番組を視聴できないときには、上記予約操作を忘れずに行わなければならず、この予約操作を忘れてしまったときには、当該番組を見逃してしまうことになる。
【０００７】
この発明は、上記の事情に鑑み、ユーザが欠かさずに視聴しているような番組をユーザによる予約操作なしに自動録画することができるディジタル放送受信装置を提供することを目的とする。
【０００８】
【課題を解決するための手段】
この発明のディジタル放送受信装置は、上記の課題を解決するために、ディジタル放送波から番組情報を取得して記憶する手段と、任意の番組についての視聴が所定の回数及び／又は時間に達した場合に前記番組を対象番組に指定する手段と、前記番組情報から前記対象番組の放送予定を検出して仮録画予約を行う手段と、前記仮録画予約の実行時刻においてユーザが前記番組を視聴又は録画していないときに録画を実行する手段と、を備えたことを特徴とする。
【０００９】
上記の構成であれば、所定回数として「３回」が設定されているとし、例えばユーザがドラマＡの第１話から第３話までを視聴したとすると、このドラマＡは対象番組に指定され、ユーザが第４話の放送を視聴するのを忘れたとしても、自動的に番組録画が実行されるので、番組再生することによってユーザはドラマＡを視聴できることになる。
【００１０】
前記仮録画予約を行わない番組の種類をユーザが設定できるのがよい。これによれば、例えばユーザがニュース番組を録画不要と考える場合には、仮録画予約を行わない番組の種類として「ニュース」を指定しておけばよい。
【００１１】
また、所定の回数又は／及び時間をユーザが設定できるのがよい。これによれば、ユーザは、対象番組指定基準として例えば「３回」や「５時間」といった指定を行うことができるようになる。
【００１２】
また、番組情報から対象番組の放送予定が所定期間を超えて検出されないときには、仮録画予約指定が解除されるように構成されているのがよい。これによれば、例えば対象番組の指定を受けたドラマＡの放送が以降取りやめになったにも係わらず、放送予定検索を続けるといった事態を防止できることになる。
【００１３】
また、録画実行後にユーザが当該番組の視聴を開始したときには録画実行中であることのメッセージを画面表示すると共に、録画の継続／停止をユーザに選択させるように構成されているのがよい。また、仮録画予約実行時とユーザ予約による録画実行時とが重なるときにはユーザ予約による録画実行を優先するように構成されていてもよい。また、二以上の仮録画予約の実行時が重なるときには視聴回数が多い及び／又は視聴時間が長い方の録画を優先するように構成されていてもよい。
【００１４】
【発明の実施の形態】
以下、この発明の実施形態を図１乃至図３に基づいて説明するが、ここではユーザがＢＳディジタル放送を視聴する場合を例示している。図１はこの実施形態のディジタル放送受信装置３０を示したブロック図であり、図２は自動録画に関する各種設定画面を例示した説明図であり、図３は自動録画処理を示したフローチャートである。
【００１５】
図１において、アンテナ１は、屋外において所定の方向に向けて配置されており、ＢＳ（Ｂｒｏａｄｃａｓｔｉｎｇ　Ｓａｔｅｌｌｉｔｅ）から送られてくるディジタル放送波を受信する。このアンテナ１は、一般に周波数変換器を備え、受信／周波数変換した信号をチューナ２に与える。
【００１６】
チューナ２は、受信した高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１７】
デマルチプレクサ（ＤＥＭＵＸ）３は、チューナ２から出力されるトランスポート・ストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、およびＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）等に分離する。デマルチプレクサ３におけるＴＳデコーダ３ａは、ユーザによって選択された番組を構成するトランスポートストリーム（以下、パーシャルＴＳという）をＣＰＵ１７の指令に基づいて取り出してストリーム記録・再生部４に供給し、ＡＶデコーダ７へはビデオストリーム及びオーディオストリームを供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。更に、ＳＩには番組情報（番組名、番組開始時刻、番組継続時間、番組内容情報、番組ジャンル情報等）が含まれている。そして、番組情報中のＥＩＴ（Ｅｖｅｎｔ　Ｉｎｆｏｒｍａｔｉｏｎ　Ｔａｂｌｅ）により、番組名称、放送日時、番組内容情報、Ｅｖｅｎｔ＿ＩＤなどを特定できる。番組自動録画処理のために、番組情報は後述するメモリ１８に格納される。
【００１８】
ストリーム記録・再生部４は、外部録画装置（ハードディスクやＭＯ等があるが、この実施形態ではＤ−ＶＨＳとする）３１との間でＩＥＥＥ１３９４インターフェース５を通じてデータや制御信号のやりとりを行い、ＴＳデコーダ３ａから出力されたパーシャルＴＳを外部録画装置３１に書き込み（記録）、また、外部録画装置３１からパーシャルＴＳを読み出すことができる（再生）。
【００１９】
ＡＶデコーダ７は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御等を行う。オーディオデコーダは、入力された符号化信号を復号して音声データを生成する。
【００２０】
映像処理回路８は、ＡＶデコーダ７から映像データを受け取ってＤ／Ａ変換を行い、例えばＮＴＳＣコンポジット信号に変換する。音声処理回路９は、ＡＶデコーダ７から出力された音声データを受け取ってＤ／Ａ変換を行い、例えば右（Ｒ）音のアナログ信号及び左（Ｌ）音のアナログ信号を生成する。
【００２１】
映像出力回路１０及び音声出力回路１１は出力抵抗や増幅器等を備えて成る。ＡＶ出力端子１２には、出力部（左右音声出力端子等や映像出力端子のセット）が設けられており、この出力部には、ディスプレイやスピーカを備えるモニタ１４が映像／音声コード１３によって接続される。
【００２２】
ＯＳＤ回路１９は、ＣＰＵ１７から出力指示された文字情報や色情報に基づくビットマップデータを加算器２０に出力する。加算器２０は前記ビットマップデータを映像データに組み込む処理を行う。上記ＯＳＤ回路１９により、ＣＰＵ１７が受け取ったＳＩに基づくＥＰＧ表示や自動録画設定画面の表示などが行えることになる。
【００２３】
リモコン送信機１５は、当該放送受信装置３０に指令を送出するための送信機である。このリモコン送信機１５に設けられた図示しないキーを操作すると、そのキーに対応した指令を意味する信号光（リモコン信号）が図示しない発光部から送出される。リモコン受光器１６は、前記信号光を受光し、これを電気信号に変換してＣＰＵ１７に与える。
【００２４】
メモリ（ＲＡＭ、ＥＥＰＲＯＭ、フラッシュメモリ等）１８には、ＥＰＧ画面などを表示したり番組放送予定を検出するためなどに用いられる番組情報の他、後述する自動録画に関する各種設定内容などが格納される。
【００２５】
ＣＰＵ１７は、このディジタル放送受信装置３０における全体制御を行うものであるが、特にこの発明にかかる制御として、番組自動録画処理などを行うようになっている。
【００２６】
図２は、自動録画に関する各種設定画面を例示した説明図である。ユーザは、リモコン送信機１５を用いて、例えばメニュー画面に設けられた「自動録画設定」の項目を選択してこれらの画面を表示することができる。図２（ａ）は、自動録画禁止ジャンル設定画面を例示している。この画面には、例えば「繰り返し放送」、「ニュース」、「映画」、「スポーツ」、「ドラマ」、「すべて」といった自動録画禁止ジャンルの選択項目が表示されている。ここで、ユーザがリモコン送信機１５の上下キーを用いてカーソルを移動させ「繰り返し放送」を選択し決定キーを押下すると、自動録画禁止ジャンルとして「繰り返し放送」がメモリ１８に記憶され、同じ内容が繰り返し放送されるような番組を自動録画の対象外とすることができる。一方、「すべて」を選択した場合には、自動録画処理は全く行われないように設定されることになる。図２（ａ）では、「ニュース」と「スポーツ」番組の自動録画を禁止する設定となっている。
【００２７】
図２（ｂ）は、対象番組指定基準設定画面を例示している。ここでは、自動録画番組を決定するための基準となる視聴の「回数」や「時間」を設定する。例えば、リモコン送信機１５の数字キーを用いて「３」回と入力した場合には、前述の自動録画禁止ジャンル以外の番組を対象として、３回以上視聴した番組を自動録画番組とすることになる。なお、この画面では、「回数」及び「時間」のいずれかを設定してもよいし、図２（ｂ）に示したごとく、両方を指定することもできる。
【００２８】
図３は、番組についての自動録画処理を示したフローチャートである。ユーザがリモコン送信機１５等を用いて例えばドラマＡの視聴を開始すると、ＣＰＵ１７はメモリ１８に記憶された自動録画禁止ジャンルを読み出すとともに当該番組に付随する番組情報から番組ジャンル情報を取得して、ドラマＡが自動録画禁止ジャンルに該当するかどうかを判断する（ステップＳ１）。ドラマＡが自動録画禁止ジャンルに該当する場合には処理を終了し、該当しない場合には番組情報を取得してメモリ１８に記憶する（ステップＳ２）。ＣＰＵ１７は例えば番組情報に含まれる番組名などをメモリ１８に記憶済みの情報と照らし合わせ、当該番組について視聴回数をカウントアップする（ステップＳ３）。そして、自動録画番組指定基準が例えば３回と設定されている場合には、ドラマＡについての視聴回数が３回以上であるかどうかを判断する（ステップＳ４）。ここで、自動録画番組指定基準が例えば５時間と設定されている場合には、ステップＳ３において総視聴時間を算出し、ステップＳ４において総視聴時間が５時間以上であるかどうかを判断することになる。また、回数と時間の両方が設定されている場合であれば、いずれかの基準値に達しているかどうかを判断すればよい。
【００２９】
ステップＳ４においてＮＯである場合には処理を終了し、ＹＥＳである場合にはドラマＡを対象番組に指定する（ステップＳ５）。そして、ステップＳ２において取得した番組情報中のＥＩＴから次回放送予定を検索し（ステップＳ６）、次回放送予定を検出したら（ステップＳ７でＹＥＳ）、仮録画予約を行う（ステップＳ８）。そして、仮録画予約実行時刻において、ユーザがドラマＡを視聴又は録画していない場合には（ステップＳ９でＹＥＳ）、ＩＥＥＥ１３９４インターフェース５を通じて外部録画装置３１に番組（パーシャルＴＳ）を録画することになる（ステップＳ１０）。録画が終了すると（ステップＳ１１）、ステップＳ６に戻り次回の放送予定を検索する。一方、ユーザがドラマＡを視聴又は録画した場合には（ステップＳ９でＮＯ）、録画実行せずに（仮録画予約を解除し）、ステップＳ６に戻ることになる。なお、仮録画予約を行った番組の放送時間が変更された場合には、Ｅｖｅｎｔ＿ＩＤなどを用いて変更先の放送時間を番組情報から検出し、仮録画予約を再登録することができる。
【００３０】
次回放送予定を発見しなかった場合には（ステップＳ７でＮＯ）、ＣＰＵ１７は前回の番組放送時から一定期間（例えば１ヶ月など）が経過したかどうかを判断し（ステップＳ１２）、経過していない場合には新しい番組情報を取得し（ステップＳ１３）、ステップＳ６に戻り処理を続ける。次回の放送予定を検出しないまま一定期間が経過した場合には、自動録画番組の指定を解除し（ステップＳ１４）、処理を終了する。
【００３１】
以上説明したように、この実施形態のディジタル放送受信装置であれば、例えば対象番組指定基準を３回と設定しておけば、ユーザがドラマＡの第１話から第３話までを視聴した場合には、このドラマＡは対象番組に指定されるので、ユーザが第４話の放送を見忘れたとしても自動的に録画が実行されることになる。また、例えば対象番組の指定を受けたドラマＡの放送が以降取りやめになったにも係わらず、放送予定検索を続けるといった事態を防止できることになる。更に、自動録画を禁止する番組ジャンルなどを指定することができるので、例えばニュース番組など、ユーザが録画不要と考える番組までをも録画してしまうといったことを防ぐことができる。
【００３２】
なお、録画実行後にユーザが当該番組の視聴を開始したときには録画実行中であることのメッセージ（例えば、「この番組を自動録画しています。録画を継続しますか。ＹＥＳ　ＮＯ」）を画面表示し、リモコン送信機１５の操作でＹＥＳ／ＮＯを選択させて録画の継続／停止をユーザに決定させるようにしてもよい。また、ユーザ操作により、自動録画指定の対象とされている番組を一覧で表示できるようにしてもよい。この場合、ユーザは、例えばリモコン送信機１５のキーを用いて任意の番組を選択し、取消キーを押下して個別の番組について自動録画指定を解除できるようになっていてもよい。また、仮録画予約が行われた番組とユーザが通常の録画予約登録を行った番組とが時間的に重複して予約された場合には、ユーザによる通常の録画予約が優先して実行されるようにするのがよい。また、同一時間帯に二以上の仮録画予約が重複した場合には、過去の総視聴時間が最も長い（或いは回数が最も多い）番組が優先して予約実行されるのがよい。また、上記の実施形態では外部録画装置３１に録画させることとしたが、内部録画機器に録画させるようにしてもよい。また、ディジタル映像録画ではなく、アナログ映像を録画するようにしてもよい。
【００３３】
【発明の効果】
以上説明したように、この発明であれば、ユーザが欠かさずに視聴しているような番組をユーザによる予約操作なしに自動録画することができるという効果を奏する。
【図面の簡単な説明】
【図１】この発明の実施形態のディジタル放送受信装置を示したブロック図である。
【図２】自動録画に関する各種設定画面を例示した説明図である。
【図３】自動録画処理を示したフローチャートである。
【符号の説明】
１　　アンテナ
２　　チューナ
３　　デマルチプレクサ（ＤＥＭＵＸ）
３ａ　ＴＳデコーダ
４　　ストリーム記録再生部
５　　ＩＥＥＥ１３９４インターフェース
７　　ＡＶデコーダ
１７　ＣＰＵ
１８　不揮発性メモリ
１９　ＯＳＤ回路
３１　外部録画装置
【図１】
2004112622.tif 000003
【図２】
2004112622.tif 000004
【図３】
2004112622.tif 000005